(57)【要約】【課題】改質率を十分に高くし得る構造を有し、かつ応力に強い改質器を提供する。【解決手段】炭化水素系化合物を含む原料ガスから水素を含む改質ガスを改質する改質器であって、原料ガスを改質する触媒が担持された第一と第二の触媒板３，４を有し、第一と第二の触媒板３，４が厚み方向に重ねられる。第一または第二の触媒板３，４の中央部に原料ガスが供給される入口３ｂ，４ｂが形成される。第一の触媒板３には、第二の触媒板４に向けて突出するとともに入口３ｂと第一の触媒板３の外周縁３ｅを結んだ方向において断続的に配置される複数の突出部３ｃが形成される。各突出部３ｃは、第二の触媒板４に向けて突出する環状の周壁面３ｃ１を有し、周壁面３ｃ１の平滑端部が第二の触媒板４に当接する。【選択図】図３
2011068512.tif 000002
【特許請求の範囲】
【請求項１】
炭化水素系化合物を含む原料ガスから水素を含む改質ガスを改質する改質器であって、
前記原料ガスを改質する触媒が担持された第一と第二の触媒板を有し、前記第一と第二の触媒板が厚み方向に重ねられ、
前記第一または第二の触媒板の中央部に前記原料ガスが供給される入口が形成され、
前記第一の触媒板には、前記第二の触媒板に向けて突出するとともに前記入口と前記第一の触媒板の外周縁を結んだ方向において断続的に配置される複数の突出部が形成され、前記各突出部は、前記第二の触媒板に向けて突出する環状の周壁面を有し、前記周壁面の平滑端部が前記第二の触媒板に当接することを特徴とする改質器。
【請求項２】
請求項１に記載の改質器であって、
突出部は、周壁面の端部を塞ぎかつ第二の触媒板に接合される先端面を有していることを特徴とする改質器。
【請求項３】
請求項１または２に記載の改質器であって、
突出部の周壁面は、第一の触媒板から第二の触媒板に向けて外周径が徐々に小さくなっていることを特徴とする改質器。
【請求項４】
請求項１〜３のいずれか一つに記載の改質器であって、
複数の突出部が碁盤目状に第一の触媒板に配設されていることを特徴とする改質器。
【請求項５】
請求項１〜４のいずれか一つに記載の改質器であって、
第一の触媒板に設けられる突出部の密度が入口側に比べて前記触媒板の外周側において高いことを特徴とする改質器。
【請求項６】
請求項１〜５のいずれか一つに記載の改質器であって、
中央部に入口を有する第一の触媒板と、中央部に入口を有する第二の触媒板が交互に複数層設けられ、
前記第一の触媒板に設けられる突出部の密度は、原料ガスの上流側に位置する層と下流側に位置する層において異なっていることを特徴とする改質器。
【請求項７】
請求項１に記載の改質器であって、
突出部の周壁面の内周側に貫通孔が形成され、前記貫通孔に触媒板へ熱を供給するための熱供給体が挿通されることを特徴とする改質器。
【発明の詳細な説明】
【技術分野】
【０００１】
本発明は、炭化水素系化合物を含む原料ガスから水素を含む改質ガスを改質する改質器に関する。
【背景技術】
【０００２】
改質器は、原料ガスを水素に改質し、改質した水素を例えば燃料電池などに供給し、水素が燃料電池の燃料として利用される。従来の改質器は、特許文献１を参照するように例えばハニカム構造の本体を有し、本体内の通路の内壁面に改質触媒が担持されている。原料ガスが本体の一側面側から通路を通って改質触媒によって改質され、改質ガスと未改質の原料ガスが本体の他側面側に排出される。また特許文献２を参照するように触媒が担持された複数の触媒板を備える脱硝反応器も従来知られている。触媒板は、複数の突起を有し、突起をスペーサとして複数の触媒板が積み重ねられ、触媒板の間にガスが流され得る構造になっている。突起をスペーサとして用いることで、広いガス通路を形成することができるとともに、触媒と突起との接触点が少ないことから、ダストの堆積を防止できるという特徴を有している。
【先行技術文献】
【特許文献】
【０００３】
【特許文献１】特開平３−１０９２０２号公報
【特許文献２】実開昭５４−８０５３９号公報
【発明の概要】
【発明が解決しようとする課題】
【０００４】
しかし、特許文献１に記載の改質器では、流路が壁で隔てられている。そのため、温度が低くなってしまった流路や、触媒が機能しない流路を流れるガスが改質されないまま排出されてしまい、改質率（=１−原料ガスＯＵＴ／原料ガスＩＮ）が低くなってしまうおそれがある。また、特許文献２に記載の脱硝反応器では、突出部が互いに間隔を持って配置されているために、上記したような問題は解決される。しかしながら、特許文献２に記載の突出部と触媒板は、点接触により固定されているために、応力に弱く、伝熱性も良くない。そこで本発明は、改質率を十分に高くし得る構造を有し、かつ応力に強い改質器を提供することを目的とする。
【課題を解決するための手段】
【０００５】
前記課題を解決するために本発明は、各請求項に記載の通りの構成を備える改質器であることを特徴とする。請求項１に記載の発明によると、原料ガスを改質する触媒が担持された第一と第二の触媒板を有し、第一と第二の触媒板が厚み方向に重ねられる。第一または第二の触媒板の中央部に原料ガスが供給される入口が形成される。第一の触媒板には、第二の触媒板に向けて突出するとともに入口と第一の触媒板の外周縁を結んだ方向において断続的に配置される複数の突出部が形成される。各突出部は、第二の触媒板に向けて突出する環状の周壁面を有し、周壁面の平滑端部が第二の触媒板に当接する。
【０００６】
したがって原料ガスは、入口から触媒板の外周縁に向けて（例えば径方向に）流れ、かつ断続的に配設された突出部の間を通ることで例えば周方向にも流れ得る。かくして原料ガスは、拡散されやすい。また原料ガスは、突出部に当ることでも拡散され得る。かくして拡散によって原料ガスが触媒板に接触しやすく改質されやすい。また入口が触媒板の中央部に形成されているために、ガスの流路幅（周方向長さ）は、入口から触媒板の外周縁に向けて徐々に大きくなる。そのためガスが触媒板と接触し得る面積が徐々に大きくなる。したがって触媒板の外周縁に近い位置では、原料ガスの濃度が薄くなるものの、原料ガスが改質されやすくなる。かくして最終的な改質率が高くなる。
【０００７】
また突出部は、環状の周壁面を有しており、周壁面の平滑端部が第二の触媒板に当接する。そのため突出部は、板状に突出するフィン等に比べて強度が強い。また突出部は、断続的に配設されている。そのため突出部は、径方向に長いフィン等に比べて触媒板に容易に形成され得る。例えば折曲加工によって形成されるフィンに比べて、突出部は容易なディンプル加工によって形成され得る。また径方向に長いフィン（例えば放射線状に延出するフィン）を触媒板に形成する場合は、触媒板の中心側と外周側で周長さが相違するために触媒板に皺が生じ易い。これに対して本発明の突出部は、所定の間隔で設けられ得る。そのため触媒板に突出部を形成する際に触媒板に皺が生じ難く、触媒板に容易に突出部が形成され得る。
【０００８】
請求項２に記載の発明によると、突出部は、周壁面の端部を塞ぎかつ第二の触媒板に接合される先端面を有している。したがって突出部は、比較的広い面積で第二の触媒板に接合される。そのため突出部が第二の触媒板から剥がれ難くなる。また先端面によって触媒板間における伝熱性も向上する。これにより触媒板間の熱のバラツキが小さくなって、触媒板間における改質反応の差が小さくなる。
【０００９】
請求項３に記載の発明によると、突出部の周壁面は、第一の触媒板から第二の触媒板に向けて外周径が徐々に小さくなっている。したがって突出部の成形時に発生する突出部の基部における応力が小さくなる。例えば突出部の基部が第一の触媒板に対して略直角に起立する形態に比べて小さくなる。そのため突出部の基部が割れることが防止され得る。また突出部は、第一の触媒板から略直角に起立する形態に比べて表面積が大きくなる。そのため原料ガスが接触し得る触媒の面積が増加し、原料ガスが改質され易くなる。
【００１０】
請求項４に記載の発明によると、複数の突出部が碁盤目状に第一の触媒板に配設されている。したがって突出部が放射状に配置される形態に比べて、突出部にガスが当りやすくなる。そのためガスは、入口から触媒板の外周縁に向けて流れる際に突出部を迂回しやすくなり、ガスが触媒板に沿って流れる距離が長くなる。またガスは、突出部に当ることで拡散されやすく、これにより燃料ガスが改質され易くなる。
【００１１】
請求項５に記載の発明によると、第一の触媒板に設けられる突出部の密度が入口側に比べて触媒板の外周側において高い。したがってガスは、入口側において流れ易い。そのため入口側における圧力損失が少なくなる。またガスは、外周側において流れ難い。そのため外周側にて原料ガスが触媒に接触し易くなり、最終的な改質率が高くなる。
【００１２】
請求項６に記載の発明によると、中央部に入口を有する第一の触媒板と、中央部に入口を有する第二の触媒板が交互に複数層設けられる。第一の触媒板に設けられる突出部の密度は、原料ガスの上流側に位置する層と下流側に位置する層において異なっている。したがって各層におけるガス流速を突出部の密度によって調整できる。例えば各層を流れるガス流速を略同じになるように突出部を設け、これにより各層におけるガス流速を改質に好適な速度に設定することができる。
【００１３】
請求項７に記載の発明によると、突出部の周壁面の内周側に貫通孔が形成され、貫通孔に触媒板へ熱を供給するための熱供給体が挿通される。したがって熱供給体は、突出部を利用して触媒板に挿通され得る。
【図面の簡単な説明】
【００１４】
【図１】燃料電池システムの概略構成図である。
【図２】改質器の概略斜視図である。
【図３】触媒板の上面図である。
【図４】触媒板の一部斜視図である。
【図５】触媒板の一部断面図である。
【図６】触媒板の間のガス流れを示す図である。
【図７】他の実施の形態にかかる突出部の斜視図である。
【図８】他の実施の形態にかかる突出部の斜視図である。
【図９】他の実施の形態にかかる突出部の斜視図である。
【図１０】他の実施の形態にかかる突出部の斜視図である。
【図１１】他の実施の形態にかかる改質器の一部概略正面図である。
【図１２】他の実施の形態にかかる突出部の一部断面図である。
【図１３】他の実施の形態にかかる触媒板の上面図である。
【図１４】他の実施の形態にかかる触媒板の上面図である。
【図１５】他の実施の形態にかかる触媒板の上面図である。
【図１６】他の実施の形態にかかる触媒板の上面図である。
【図１７】他の実施の形態を説明するための改質器の一部断面図である。
【図１８】他の実施の形態にかかる改質器の一部断面図である。
【図１９】他の実施の形態にかかる改質器の一部分解斜視図である。
【図２０】他の実施の形態にかかる改質器の一部断面図である。
【発明を実施するための形態】
【００１５】
本発明の一つの実施の形態を図１〜６にしたがって説明する。図１に示すように燃料電池システム１０は、原燃料タンク１２、水タンク１３、気化器１４、改質器１、燃料電池１１および制御装置１６を有している。原燃料タンク１２には、炭化水素系燃料であるメタノールなどの原燃料が貯蔵される。水タンク１３には、改質反応に供する水が貯留される。原燃料と水は、ポンプ１７，１８によって原燃料タンク１２と水タンク１３から吸い上げられ、混合された状態で気化器１４に供給される。
【００１６】
気化器１４は、原燃料と水の混合物を気化しかつ所定の温度に昇温する。気化器１４は、バーナ１４ａを有しており、バーナ１４ａは、原燃料タンク１２からポンプ１９によって供給されたメタノールを燃焼する、もしくは燃料電池で未反応の水素ガス（オフガス）を燃焼する（図１の点線を参照）ことで熱を生成する。制御装置１６は、ポンプ１７，１８を制御することで気化器１４へ供給される原燃料と水の割合を調整する。また制御装置１６は、ポンプ１９を制御することで気化器１４において昇温される原料ガス（原燃料と水の混合気）の温度を所定温度（例えば２６０±４０℃）に調整する。
【００１７】
改質器１は、原料ガスを改質して水素リッチの改質ガスを生成する装置であって、例えばメタノールを水蒸気改質反応によって水素と二酸化炭素に改質する。
ＣＨ3ＯＨ＋Ｈ2Ｏ→３Ｈ2＋ＣＯ2−４９．７ｋＪ／ｍｏｌ…(式１)
改質器１から排出されたガスには、微量な一酸化炭素が含まれており、ＣＯ低減装置１５を介して燃料電池１１に供給される。ＣＯ低減装置１５は、選択酸化反応等を利用して一酸化炭素を低減する。燃料電池１１は、改質器１によって得られた水素と図示省略のコンプレッサによって供給された空気に含まれる酸素とを反応させて発電する。発電された電力は、例えば電気自動車の動力用電力または自家発電装置の供給電力に利用され得る。
【００１８】
改質器１は、図２に示すように筐体２と、改質触媒が担持された複数の触媒板３，４と、改質反応に利用される熱を供給するための熱供給体５を有している。筐体２は、筒状の側壁面２ａと、側壁面２ａの上下部を塞ぐ円盤状の底板部２ｂと天板部２ｃを有している。底板部２ｂと天板部２ｃには、入口管２ｄと出口管２ｅが設けられており、ガスが入口管２ｄから筐体２内に供給され、出口管２ｅから排出される。
【００１９】
触媒板３，４は、図３に示すように円盤状であって、板厚が０．２〜１ｍｍ、直径が３０〜１００ｍｍである。触媒板３，４には、複数の孔（入口３ｂ，４ｂと中心孔３ｄ，４ｄ）と複数の突出部３ｃ，４ｃが形成されている。中心孔３ｄ，４ｄは、触媒板３，４の中心に形成されており、熱供給体５が挿通される。熱供給体５は、中心孔３ｄ，４ｄの孔縁に塗布されたろう材によって触媒板３，４に接合される。したがって熱供給体５からの熱は、各触媒板３，４に伝わって触媒板３，４の中心から外周縁に向けて伝わる。
【００２０】
図３に示すように触媒板３，４の中央部（中心近く）には、複数の入口３ｂ，４ｂが形成されている。入口３ｂ，４ｂは、中心孔３ｄ，４ｄの周りに沿って周方向に延出する長穴である。入口３ｂと入口４ｂは、触媒板３，４が積層された際に周方向に位置がずれるように配設されている。そのため入口４ｂから入口３ｂにガスが流れ難く、入口４ｂから触媒板３，４の間に入ったガスは、触媒板３，４の間に流れ込み易くなる。
【００２１】
突出部３ｃ，４ｃは、図４，５に示すように触媒板３，４の本体板部３ａ，４ａから板厚方向に突出する。突出部３ｃ，４ｃは、金属製の触媒板３，４を焼き鈍しすることで延性を高めた後に、ディンプル加工によって形成される。突出部３ｃ，４ｃは、環状の周壁面３ｃ１，４ｃ１と、周壁面３ｃ１，４ｃ１の端部を塞ぐ先端面３ｃ２，４ｃ２を有している。周壁面３ｃ１，４ｃ１は、略円錐状であって、外周径が本体板部３ａ，４ａから先端面３ｃ２，４ｃ２に向けて徐々に小さくなっている。周壁面３ｃ１，４ｃ１の断面は、本体板部３ａ，４ａに対して傾斜しており、略直線上に延出している。
【００２２】
先端面３ｃ２，４ｃ２は、図４，５に示すように円盤状であって、突出部３ｃ，４ｃの基端部よりも小さい直径を有している。触媒板３，４が積層されることで、先端面３ｃ２，４ｃ２と周壁面３ｃ１，４ｃ１の環状の平滑端部とが触媒板３，４の本体板部３ａ，４ａに当接する。これにより触媒板３，４は、突出部３ｃ，４ｃをスペーサとして積層される。先端面３ｃ２，４ｃ２にはろう材３ｃ３，４ｃ３が塗布されており、ろう材３ｃ３，４ｃ３によって先端面３ｃ２，４ｃ２が本体板部３ａ，４ａに接合（ろう付け）される。
【００２３】
図３に示すように複数の突出部３ｃ，４ｃは、碁盤目状に配設されている。すなわち略等間隔に並設される複数の縦線と略等間隔に並設される複数の横線の交点に位置している。したがって複数の突出部３ｃ，４ｃは、入口３ｂ，４ｂから触媒板３，４の外周縁３ｅ，４ｅに延出する放射線上からずれた位置に配置されている。また複数の突出部３ｃ，４ｃは、径方向に間隔３ｆ，４ｆを有し、周方向に間隔３ｇ，４ｇを有するように触媒板３，４に配設される。間隔３ｆ，３ｇ，４ｆ，４ｇは、略同じであって、突出部３ｃと突出部４ｃは、触媒板３，４が積層された際に径方向と周方向において位置がずれる。例えば間隔３ｆ，３ｇ，４ｆ，４ｇの二分の一の距離だけ位置がずれる。これにより突出部３ｃ，４ｃが本体板部３ａ，４ａに当接し得る。
【００２４】
図３に示すように複数の突出部３ｃ，４ｃは、概ね入口３ｂ，４ｂから径方向に延出する直線３ｈ，４ｈ上において少なくとも一つの突出部３ｃ，４ｃが位置するように配設されている。したがってガスは、入口３ｂ，４ｂから触媒板３，４の外周縁３ｅに向けて流れる際に少なくとも一つの突出部３ｃ，４ｃを迂回する必要がある。
【００２５】
図３に示すように触媒板３，４の外周縁３ｅ，４ｅには、複数の切欠き部３ｅ１，４ｅ１が形成されている。切欠き部３ｅ１，４ｅ１は、略直線状であって、筐体２内の回転規制部材に当接される。これにより触媒板３，４は、周方向に回転することが規制され、触媒板３，４の筐体２に対する周方向の位置が決定される。
【００２６】
図２に示すように筐体２内には、筐体２と触媒板３，４によってガス流路６ａ〜６ｄが形成される。ガス流路６ａは、入口管２ｄから触媒板３，４の入口３ｂ，４ｂを通って軸方向に延出する。最上部に位置する触媒板３，４には入口が形成されておらず、ガス流路６ａの上端部が最上部の触媒板３，４によって閉じられる。
【００２７】
ガス流路６ｂは、図２，６に示すように触媒板３，４によって区画されており、筐体２内に複数層形成される。ガスが入口３ｂ，４ｂからガス流路６ｂに入り、入口３ｂ，４ｂから外周縁３ｅ，４ｅに向けて径方向に流れる。さらにガスは、突出部３ｃ，４ｃの間を通って径方向に略直交する周方向にも流れ得る。そしてガスは、周方向と径方向に流れて、触媒板３，４の外周側に位置するガス流路６ｃに排出される。
【００２８】
ガス流路６ｃは、図２に示すように触媒板３，４の外周縁と側壁面２ａの内周面によって区画される。ガスがガス流路６ｃに沿って上方に流れてガス流路６ｄに排出される。ガス流路６ｄは、最上位置の触媒板３，４と天板部２ｃの下側面とによって区画される。ガスは、ガス流路６ｄによって筐体２の外周側から中心側に流れて、中心側に位置する出口管２ｅから筐体２の上方へ排出される。
【００２９】
図２に示すように熱供給体５は、電気ヒータであって本体部５ａと電源線５ｂを有している。本体部５ａは、電源線５ｂから供給された電流によってジュール熱を発する。本体部５ａの温度は、改質反応に適切な温度（例えば２５０〜３００℃）に設定される。熱は、本体部５ａから各触媒板３，４に伝わって、各触媒板３，４の中心側から外周側に放射線状（径方向）に伝わる。
【００３０】
触媒板３，４の温度は、中心部において最も高く、外周部に向けて徐々に低くなる。外周部における温度は、改質器１に供給されるガスの温度よりも低く、例えば２００〜２５０℃になることが好ましい。これにより改質器１から排出されるガスに含まれるＣＯ量を抑制し得る。すなわちＣＯ平衡反応（式２）の特性から出口側である触媒板３，４の外周部近傍におけるガス温度を低くすることでＣＯ量を減らすことができる。その結果、後段の燃料電池の触媒にＣＯが付着（被毒）することを抑制し得る。
ＣＯ＋Ｈ2Ｏ  ⇔  ＣＯ2＋Ｈ2＋４１．２ｋＪ／ｍｏｌ（発熱）…（式２）
【００３１】
図２に示すように原料ガスは、触媒板３，４の表面を流れることで、触媒板３，４から熱を受けつつ触媒に接することで改質ガスに改質される。改質率（水素取得率）を高くするために、突出部３ｃ，４ｃの形状は、下記の（式３）を満たすように設定されている。すなわち突出部３ｃ，４ｃを設けることでガスが接触し得る触媒板３，４の表面積が大きくなるように設定されている。
【００３２】
ΔＳ＝（（ｒ22−ｒ12）／ｃｏｓθ−ｒ22）×２π  ＞  ０
⇔  （１−ｃｏｓθ）ｒ22 ＞  ｒ12    …（式３）
ΔＳは、突出部３ｃ，４ｃを一つ設けた際のガスが接触し得る触媒板３，４の表面積の変化量である。図４を参照するように、ｒ1は突出部３ｃ，４ｃの先端部の半径、ｒ2は突出部３ｃ，４ｃの基部の半径、θは周壁面３ｃ１，４ｃ１と本体板部３ａ，４ａとの間の角度、ｈは突出部３ｃ，４ｃの高さである。例えばｒ1＝０．５ｍｍ、ｒ2＝１．５ｍｍ、ｈ＝０．８ｍｍの場合、ΔＳ＝１．９６ｍｍ2／個になる。
【００３３】
筐体２の外周部には、筐体２から放熱することを抑制するための図示省略の断熱構造が設けられている。断熱構造は、例えばガラス繊維などの断熱材、あるいは筐体２との間に真空部分を形成する二層構造を有している。これにより筐体２からの放熱によるエネルギーロスが抑制されている。
【００３４】
以上のように改質器１は、図３，５に示すように（第一と第二の）触媒板３，４を有し、触媒板３，４が厚み方向に重ねられる。触媒板３，４の中央部に原料ガスが供給される入口３ｂ，４ｂが形成される。触媒板３，４には、隣接する（下側に位置する）触媒板３，４に向けて突出するとともに入口３ｂ，４ｂと触媒板３，４の外周縁３ｅ，４ｅを結んだ方向において断続的に配置される複数の突出部３ｃ，４ｃが形成される。各突出部３ｃ，４ｃは、隣接する触媒板３，４に向けて突出する環状の周壁面３ｃ１，４ｃ１を有し、周壁面３ｃ１，４ｃ１の平滑端部が隣接する触媒板３，４に当接する。
【００３５】
したがって原料ガスは、入口３ｂ，４ｂから触媒板３，４の外周縁に向けて（例えば径方向に）流れ、かつ断続的に配設された突出部３ｃ，４ｃの間を通ることで例えば周方向にも流れ得る。かくして原料ガスは、拡散されやすい。また原料ガスは、突出部３ｃ，４ｃに当ることでも拡散され得る。かくして拡散によって原料ガスが触媒板３，４に接触しやすく改質されやすい。また入口３ｂ，４ｂが触媒板３，４の中央部に形成されているために、ガスの流路幅（周方向長さ）は、入口３ｂ，４ｂから触媒板３，４の外周縁３ｅ，４ｅに向けて徐々に大きくなる。そのためガスが触媒板３，４と接触し得る面積が徐々に大きくなる。したがって触媒板３，４の外周縁３ｅ，４ｅに近い位置では、原料ガスの濃度が薄くなるものの、原料ガスが改質されやすくなる。かくして最終的な改質率が高くなる。
【００３６】
また突出部３ｃ，４ｃは、環状の周壁面３ｃ１，４ｃ１を有しており、周壁面３ｃ１，４ｃ１の平滑端部が隣接する触媒板３，４に当接する。そのため突出部３ｃ，４ｃは、板状に突出するフィン等に比べて強度が強い。また突出部３ｃ，４ｃは、断続的に配設されている。そのため突出部３ｃ，４ｃは、径方向に長いフィン等に比べて触媒板３，４に容易に形成され得る。例えば折曲加工によって形成されるフィンに比べて、突出部３ｃ，４ｃは容易なディンプル加工によって形成され得る。また径方向に長いフィン（例えば放射線状に延出するフィン）を触媒板３，４に形成する場合は、触媒板３，４の中心側と外周側で周長さが相違するために触媒板３，４に皺が生じ易い。これに対して本形態の突出部３ｃ，４ｃは、所定の間隔で設けられ得る。そのため触媒板３，４に突出部３ｃ，４ｃを形成する際に触媒板３，４に皺が生じ難く、触媒板３，４に容易に突出部３ｃ，４ｃが形成され得る。
【００３７】
また突出部３ｃ，４ｃは、図５に示すように周壁面３ｃ１，４ｃ１の端部を塞ぎかつ下側の（第二の）触媒板３，４に接合される先端面３ｃ２，４ｃ２を有している。したがって突出部３ｃ，４ｃは、比較的広い面積で下側の（第二の）触媒板３，４に接合される。そのため突出部３ｃ，４ｃが下側の（第二の）触媒板３，４から剥がれ難くなる。また先端面３ｃ２，４ｃ２によって触媒板３，４間の伝熱性も向上する。これにより触媒板３，４間の熱のバラツキが小さくなって、触媒板３，４間と別の触媒板３，４間における改質反応の差が小さくなる。
【００３８】
また突出部３ｃ，４ｃの周壁面３ｃ１，４ｃ１は、図５に示すように（第一の）触媒板３，４から下側の（第二の）触媒板３，４に向けて外周径が徐々に小さくなっている。したがって突出部３ｃ，４ｃの成形時に発生する突出部３ｃ，４ｃの基部および周壁面３ｃ１，４ｃ１と先端面３ｃ２，４ｃ２の角における応力が小さくなる。例えば突出部の基部が触媒板に対して略直角に起立する形態に比べて小さくなる。そのため突出部３ｃ，４ｃの基部および周壁面３ｃ１，４ｃ１と先端面３ｃ２，４ｃ２の角が割れることが防止され得る。また突出部３ｃ，４ｃは、（第一の）触媒板３，４から略直角に起立する形態に比べて表面積が大きくなる。そのため原料ガスが接触する触媒の面積が増加し、原料ガスが改質され易くなる。
【００３９】
またガスが入口３ｂ，４ｂから径方向に略直線上に流れた際に少なくとも一つの突出部３ｃ，４ｃと当るように複数の突出部３ｃ，４ｃが（第一の）触媒板３，４に配設されている。また複数の突出部３ｃ，４ｃは碁盤目状に触媒板３，４に配設されている。したがって突出部３ｃ，４ｃが放射状に配置される形態に比べて、ガスが突出部３ｃ，４ｃに当りやすくなる。そのためガスは、入口３ｂ，４ｂから触媒板３，４の外周縁に向けて流れる際に突出部３ｃ，４ｃを迂回しやすくなり、ガスが触媒板３，４に沿って流れる距離が長くなる。またガスが突出部３ｃ，４ｃに当りやすくなり、ガスが触媒に接触しやすくなる。さらにガスは、突出部３ｃ，４ｃに当ることで拡散されやすく、これにより燃料ガスが改質され易くなる。
【００４０】
また熱供給体５は、図２，３に示すように触媒板３，４の略中心に位置し、熱供給体５から供給された熱が触媒板３，４の中心側から外周側へ伝わる。そのため触媒板３，４の外周部側に熱供給体５を設置した場合に比べて外部への放熱量が少なくなり、熱効率が向上され得る。
【００４１】
またガスは、触媒板３，４に沿って流れるために触媒板３，４に担持された触媒によって改質される。改質反応は、原料ガスの濃度が濃い入口側で生じやすく、原料ガスの濃度が薄い出口側で生じにくい。そのため改質反応に伴う吸熱反応に必要な熱量は、入口３ｂ，４ｂ側で多く必要で、外周縁３ｅ，４ｅ側で小さい。これに対してガスは、温度が高い熱供給体５の近傍に位置する入口３ｂ，４ｂ側から熱供給体５から遠い触媒板３，４の外周縁３ｅ，４ｅに向けて流れる。そのため原料ガスは、熱を効率良く利用しつつ改質され得る。また熱供給体５は、触媒板３，４の略中心に設けられる構造であるために簡易に設けられ得る。
【００４２】
またガスは、（式１）を参照するように改質反応によって体積が増える。しかしガス流路６ｂは、入口３ｂ，４ｂから外周縁３ｅ，４ｅに向けて断面積が大きくなる。そのためガス流路６ｂにおけるガス流速の増加が抑制されている。好ましくはガス流路６ｂにおいて徐々にガス流速が遅くなっている。そのためガスが改質触媒に接触し得る時間が増え、これによって最終的な改質率が高くなり得る。
【００４３】
（他の実施の形態）
本発明は、上記実施の形態に限定されず、以下の形態等であっても良い。例えば図４に示す突出部３ｃ，４ｃに代えて図７〜１０に示す突出部７ａ〜７ｄを有していても良い。図７に示す突出部７ａは、略半球状であって、環状の周壁面７ａ１と先端面７ａ２を有している。周壁面７ａ１は、本体板部から断面曲線状に延出している。
【００４４】
図８に示す突出部７ｂは、大径部７ｂ１と小径部７ｂ２を有している。大径部７ｂ１と小径部７ｂ２は、円筒状で環状の周壁面７ｂ１１，７ｂ２１と、板状の端面７ｂ１２，７ｂ２２（先端面７ｂ２２）を有している。小径部７ｂ２は、大径部７ｂ１よりも径が小さく、大径部７ｂ１の略中心から軸方向に延出している。したがって突出部７ｂをプレス成形する際に割れが生じ難い。例えば大径部のみによって同じ高さの突出部を成形する場合に比べて塑性変形の集中が生じ難い。そのため割れを生じることなく、突出部７ｂを高くすることができる。
【００４５】
図９，１０に示す突出部７ｃ，７ｄは、長尺状であって、環状の周壁面７ｃ１，７ｄ１と周壁面７ｃ１，７ｄ１の端部を塞ぐ先端面７ｃ２，７ｄ２を有している。図９に示す周壁面７ｃ１は矩形環状であり、図１０に示す周壁面７ｄ１は楕円形環状である。
【００４６】
図５に示す触媒板３，４は、ろう材３ｃ３，４ｃ３によって突出部３ｃ，４ｃが本体板部３ａ，４ａに接合される。しかし図１１に示すように触媒板３，４が締結具８によって結合されても良い。締結具８は、触媒板３，４を貫通するボルト８ａと、ボルト８ａに螺合されるナット８ｂを有している。また図１２に示すように突出部３ｃ，４ｃの先端面３ｃ２，４ｃ２に溶接用突起３ｃ４，４ｃ４を有し、溶接用突起３ｃ４，４ｃ４が溶接によって溶かされても良い。これにより先端面３ｃ２，４ｃ２が溶接によって、あるいは溶接とろう付けとによって下側の触媒板３，４に接合され得る。
【００４７】
図３に示す突出部３ｃ，４ｃは、略等間隔に触媒板３，４に配設されている。しかし突出部３ｃ，４ｃが図１３〜１６に示すように触媒板３，４に配置されても良い。図１３に示す突出部３ｃ，４ｃは、径方向に略直線上に触媒板３，４に配置される。これによりガスが径方向に流れ易くなる。図１４，１５に示す突出部３ｃ，４ｃは、渦巻き線上に触媒板３，４に配置される。これによりガスが渦巻き方向に流れ易くなる。
【００４８】
図１６に示す突出部３ｃ，４ｃは、密度が場所によって異なるように触媒板３，４に配置される。例えば外周側において突出部３ｃ，４ｃの密度が高く（あるいは数が多く）、中心側（入口側）において密度が低い（あるいは数が少ない）。したがってガスは、入口側において流れ易い。そのため入口側における圧力損失が少なくなる。またガスは、外周側において流れ難い。そのため外周側にて原料ガスが触媒に接触し易くなり、最終的な改質率が高くなる。
【００４９】
図２に示す改質器１は、触媒板３，４を交互に複数層有しており、各触媒板３，４の突出部３ｃ，４ｃの密度（あるいは数）がほぼ等しい。しかし図１７に示すように触媒板３，４に設けられる突出部３ｃ，４ｃの密度が、原料ガスの上流側（下側）に位置する層と下流側（上側）に位置する層において異なっていても良い。例えば上流側の触媒板３，４間を流れるガス流量と、下流側の触媒板３，４間を流れるガス流量が異なる場合に、図１８に示すように下流側（上側）の突出部３ｃ，４ｃの密度（あるいは数）を上流側（下側）よりも大きくする。これにより各層におけるガス流速を改質に好適な速度に設定することができる。
【００５０】
図２，３に示す触媒板３，４に代えて図１９，２０に示す触媒板９を有していても良い。触媒板９は、バーリング加工によって形成された複数の突出部９ｃを有している。突出部９ｃは、環状でかつ本体板部９ａから突出する周壁面９ｃ１を有している。周壁面９ｃ１の内周側には貫通孔９ｃ２が形成される。複数の触媒板９は、貫通孔９ｃ２が軸方向に並ぶように積層される。そして環状の周壁面９ｃ１の平滑端部は、隣接する触媒板３，４に当接する。軸方向に並んだ貫通孔９ｃ２の各列には、熱供給体２０が挿通される。
【００５１】
図１９，２０に示すように触媒板９の中心に中心孔９ｄが形成され、中心孔９ｄの近傍に複数の入口９ｂが形成されている。中心孔９ｄに熱供給体５が挿通される。筐体２の下部にケース２１が取付けられ、ケース２１と筐体２によってガス室が区画される。ガス室に熱供給用ガスが供給され、該ガスがケース２１内のバーナによって燃焼される。該ガスが熱供給体（配管）２０を通って、熱供給体２０を介して触媒板９に熱を供給し、筐体２の外に排出される。したがって熱供給体５と熱供給体２０から触媒板９に熱が供給され、該熱が改質反応に利用され得る。
【００５２】
図５に示す突出部３ｃ，４ｃは、下方に突出して下方の触媒板３，４に接合される。しかし突出部が上方に突出して上方の触媒板に接合されても良い。あるいは触媒板に上方に突出する突出部と下方に突出する突出部とが設けられ、これら突出部が上方または下方に位置する触媒板に接合されても良い。この場合、突出部を有する触媒板と突出部を有さない触媒板（平板）とを交互に積層することも可能である。
【００５３】
図２に示す熱供給体５は、電気ヒータであるが、高温ガスが供給される配管であっても良い。高温ガスは、例えば気化器１４（図１参照）あるいは燃料電池１１からの排気ガスをバーナで燃焼させることで所定の温度に設定される。あるいは排気ガスを配管の内壁面に担持された触媒によって燃焼させることで所定の温度に設定される。図１９，２０に示す熱供給体２０は、高温ガスが供給される配管であるが、電気ヒータであっても良い。
【００５４】
図１６に示す複数の突出部３ｃ，４ｃは、略同じ大きさおよび形状を有し、単位面積当りの個数によって突出部３ｃ，４ｃの密度が決定される。しかし大きさや形状の異なる突出部を有しており、突出部の周壁面の面積によって突出部の密度が決定され、例えば突出部の密度が触媒板の中心側よりも外周側において高くなるように複数の突出部が触媒板に配設されても良い。
【００５５】
図１に示す改質器１に供給される原料ガスには、炭化水素系燃料としてメタノールが含まれている。しかしメタノールに代えて、例えばエタノール、メタン、天然ガス（プロパン等）やガソリンなどの他の炭化水素系燃料が含まれていても良い。
【００５６】
図２に示す触媒板３，４は、略円形であるが、円形に限定されず、例えば楕円形、四角形等の多角形などであっても良い。
【符号の説明】
【００５７】
１…改質器
２…筐体
３，４，９…触媒板
３ａ，４ａ，９ａ…本体板部
３ｂ，４ｂ，９ｂ…入口
３ｃ，４ｃ，７ａ〜７ｄ，９ｃ…突出部
３ｃ１，４ｃ１，７ａ１，７ｂ１１，７ｂ２１，７ｃ１，７ｄ１，９ｃ１…周壁面
３ｃ２，４ｃ２，７ａ２，７ｂ２２，７ｃ２，７ｄ２…先端面
３ｃ３，４ｃ３…ろう材
３ｅ，４ｅ…外周縁
３ｆ，４ｆ…中心孔
５，２０…熱供給体
９ｃ２…貫通孔
１０…燃料電池システム
１１…燃料電池
１２…原燃料タンク
１３…水タンク
１４…気化器
【図１】
2011068512.tif 000003
【図２】
2011068512.tif 000004
【図３】
2011068512.tif 000005
【図４】
2011068512.tif 000006
【図５】
2011068512.tif 000007
【図６】
2011068512.tif 000008
【図７】
2011068512.tif 000009
【図８】
2011068512.tif 000010
【図９】
2011068512.tif 000011
【図１０】
2011068512.tif 000012
【図１１】
2011068512.tif 000013
【図１２】
2011068512.tif 000014
【図１３】
2011068512.tif 000015
【図１４】
2011068512.tif 000016
【図１５】
2011068512.tif 000017
【図１６】
2011068512.tif 000018
【図１７】
2011068512.tif 000019
【図１８】
2011068512.tif 000020
【図１９】
2011068512.tif 000021
【図２０】
2011068512.tif 000022